(57)【要約】新規な電気外科ペンシルのための導電性コンポーネントの組み立ての形成が開示され、電流を運ぶ金属回路及び“電気外科ペンシル”の動作可能なスイッチコンポーネントの製造及び組み合わせを自動化する方法のこれらのコンポーネントのアッセンブリは、手術場所に高い効率又は高い電力の電流を活性ターミナルに適用するために電流を供給し、スイッチの要素の協働によってそのような電流を制御する。製造中、スイッチコンポーネントのデザインは、外科的切断、凝固、焼灼のための改善されたツールを形成するために、単に部分的に自動化されたアッセンブリ及び手によって部分的なアッセンブリを知る産業において、スイッチの最初から最後までの自動化されたアッセンブリを許容する。【選択図】図３
2012530541.tif 000002
【特許請求の範囲】
【請求項１】
電気外科ペンシルのためのスイッチであって、
生物学的組織に対する電流の適用によって組織を、切断、凝固、除去、切除、焼灼及び密閉するのに十分な電流を運ぶのに十分に厚さのある電導性金属で形成された電気回路フレームを備え、
電気回路フレームは、主電導ストリップと、第１サイド電導ストリップと、第２サイド電導ストリップを有し、主電導ストリップ、第１サイド電導ストリップ及び第２サイド電導ストリップは、複数の電導ストリップ峡部によって互いに物理的及び電気的に接続され、
主電導ストリップは、その周辺部に第１接触リングを有する第１ベイと、その周辺部に第２接触リングを有する第２ベイと、主絶縁置換コネクタと、活性電極を保持するための手段とを有し、
第１サイド電導ストリップは、第１ベイ、第１ベイのほぼ中心に配置された第１突出部の端部及び第１サイド絶縁置換コネクタの中に延びる第１突出部で形成され、
第２サイド電導ストリップは、第２ベイ、第２ベイのほぼ中心に配置された第２突出部の端部及び第２サイド絶縁置換コネクタの中に延びる第２突出部で形成され、
スイッチはさらに、
電気回路フレーム上に成型されたスイッチのためのオープンキャビネットを形成する非導電性ベースを備え、非導電性ベースは、その底面からキャビネットの中に導く複数のベース開口部を有し、複数のベース開口部は、複数の電導ストリップ峡部をさらすようにかつカッターの挿入を許容するのに十分大きく形成され、
非導電性ベースは、第１ベイの第１接触リングをさらす第１容器と、第２ベイの第２接触リングをさらす第２容器とで形成され、その中に回路閉鎖要素が配置され、
スイッチはさらに、
第１ベイの周囲にある接触リングと第１突出部の端部との間にある電気的接触を生じる第１手段と、第２ベイの周囲にある接触リングと第２突出部の端部との間にある電気的接触を生じる第２手段とを備え、
それによって、主電導ストリップ、第１サイド電導ストリップ及び第２サイド電導ストリップは、複数の電導ストリップ峡部を切断することによって互いから物理的及び電気的に分離される、電気外科ペンシルのためのスイッチ。
【請求項２】
請求項１記載の電気外科ペンシルのためのスイッチにおいて、
第１ベイの周囲にある接触リングと第１突出部の端部との間の電気的接触を生じる第１手段を作動させるための第１作動開口部と、第２ベイの周囲にある接触リングと第２突出部の端部との間の電気的接触を生じる第２手段を作動させるための第２作動開口部とで形成されたキャビネットカバーを更に備え、それによって、スイッチの開口キャビネットは閉じられる、電気外科ペンシルのためのスイッチ。
【請求項３】
請求項１記載の電気外科ペンシルのためのスイッチにおいて、
複数の接続ワイヤを収容するように形成された複数のガイドで形成されたキャビネットキャップを更に備え、それによって、そのような接続ワイヤがキャビネとキャップの中に固定され、接続ワイヤは、キャビネット及びキャビネットキャップが互いに固定されるときに、主絶縁置換コネクタ、第１サイド絶縁置換コネクタ及び第２サイド絶縁置換コネクタに物理的及び電気的に接続される、電気外科ペンシルのためのスイッチ。
【請求項４】
請求項１記載の電気外科ペンシルのためのスイッチにおいて、
第１サイド電導ストリップの第１突起部は、第１突起部が電気回路フレームの休止によって確立されたレベル以下にわずかに沈むようにその長さに沿って曲げられ、第２サイド電導ストリップの第２突起部は、第２突起部が電気回路フレームの休止によって確立されたレベル以下にわずかに沈むようにその長さに沿って曲げられる、電気外科ペンシルのためのスイッチ。
【請求項５】
請求項１記載の電気外科ペンシルのためのスイッチにおいて、
電導性材料の第１の小さなビードは、第１突出部の端部に固定され、電導性材料の第２の小さなビードは、第２突出部の端部に固定される、電気外科ペンシルのためのスイッチ。
【請求項６】
請求項１記載の電気外科ペンシルのためのスイッチにおいて、
第１上昇コンタクトは、主電導ストリップの第１ベイの第１接触リングの周囲の一部分に沿って形成され、第２上昇コンタクトは、主電導ストリップの第２ベイの第２接触リングの周囲の一部分に沿って形成される、電気外科ペンシルのためのスイッチ。
【請求項７】
電気外科ペンシルのためのスイッチのアレイであって、
生物学的組織に対する電流の適用によって組織を、切断、凝固、除去、切除、焼灼及び密閉するのに十分な電流を運ぶのに十分に厚さのある電導性金属で形成された電気回路フレームアレイを備え、
電気回路フレームアレイは、複数の電導ストリップ峡部によって互いに物理的及び電気的に接続され、
電気回路フレームアレイは、主電導ストリップと、第１サイド電導ストリップと、第２サイド電導ストリップを有し、主電導ストリップ、第１サイド電導ストリップ及び第２サイド電導ストリップは、複数の電導ストリップ峡部によって互いに物理的及び電気的に接続され、
電気外科ペンシルのためのスイッチのアレイはさらに、
スイッチのアレイためのオープンキャビネットを形成する非導電性ベースアレイを備え、非導電性ベースアレイは、電気回路フレームのアレイ上に成型され、非導電性ベースアレイは、それぞれ、それらの底面からキャビネットのアレイの中に導く複数のベース開口部を有し、
非導電性ベースアレイのベースは、それぞれ、それらの長さに沿ったポイントでベースを狭くするそれらの外面に沿った複数のベースチャンネルを有し、
それによって、キャビネットは、複数の電導ストリップ峡部を切断することによって互いから物理的及び電気的に分離される、電気外科ペンシルのためのスイッチのアレイ。
【請求項８】
請求項７記載の電気外科ペンシルのためのスイッチのアレイにおいて、
キャビネットカバーアレイを更に備え、
キャビネットカバーアレイは、スイッチのアレイがキャビネットカバーアレイがキャビネットのアレイに固定することによって閉じられるときに、スイッチのアレイ内に電気的接触を生じる手段を作動するための複数の作動開口部で形成される、電気外科ペンシルのためのスイッチのアレイ。
【請求項９】
請求項７記載の電気外科ペンシルのためのスイッチのアレイにおいて、
キャビネットキャップアレイを更に備え、
キャビネットキャップアレイは、キャビネットキャップアレイのキャビネットキャップの中に接続ワイヤを固定するために複数の接続ワイヤを収容するように形成された複数のガイドで形成され、
接続ワイヤは、キャビネットキャップのアレイがキャビネットのアレイに固定されるときに、キャビネットのアレイの主絶縁置換コネクタ、第１サイド絶縁置換コネクタ及び第２サイド絶縁置換コネクタに物理的及び電気的に接続される、電気外科ペンシルのためのスイッチのアレイ。
【請求項１０】
電気外科ペンシルのためのスイッチを組み立てる方法であって、
押印または切断によって金属片から金属フレームのアレイを形成することと、
絶縁置換コネクタ及び活性電極を受け入れるためのチューブ端部を形成するために金属フレームのアレイの金属フレームを曲げることと、
成型されたベースのアレイを形成するために形状づけられたアレイモールドに金属フレームのアレイを配置することと、
容器を有する成型されたベースのアレイが非導電性材料の噴射によってアレイモールドの中に形成されるときに開口キャビネットのアレイを形成することと、
キャビネットを閉じるために開口キャビネットのアレイのキャビネットの対応する上部にカバーアレイの予め成形されたカバーを接合することと、
キャップのアレイのキャップに予めストライプされた接続ワイヤを接続することと、
スイッチのアレイの形成を完全にするために開口キャビネットのアレイのキャビネットの対応する上部にキャップのアレイの予め成形されたキャップを接合することと、
スイッチのアレイ内の電気的コンポーネントを物理的及び電気的に分離するためにスイッチのアレイ内のストリップ峡部を切断することと、
スイッチのアレイ内の個々のスイッチを物理的及び電気的に分離するためにスイッチ間のフレーム峡部を切断することと、を備える方法。
【発明の詳細な説明】
【技術分野】
【０００１】
本発明は、電気装置のハンドピースで電源ボタンのための導電性部品の集合に関し、成形絶縁性保持と位置決め体（本明細書中において“キャビネット”）にそのような部品の自動組立に関する。より具体的には、本発明は、電流が流れる金属回路の製造と組み合わせて自動化するための方法、および関連するスイッチング部品、コンポーネントを切り替え、そのような回路のさらなる自動化されたアセンブリを許可、および電気装置の中空本体ハウジングにキャビネットである。本発明のアセンブリは、外科的切断、凝固、および焼灼のための改良されたツールを作成する。このようなツールは、一般的に"電気ペンシル"として手術に呼ばれ、本発明は、一般的にここに“ペンシル”と呼ばれる。"キャビネットや導電性コンポーネントが最終的には鉛筆のハンドピースに組み込まれるときは、本発明は、特に完全に操作可能な導電性を構成するキャビネットと共に、回路と金属"ドーム"アクティベーションコンポーネントの電気的コーティング装置を備えている鉛筆の先端にアクティブな端末に電流を供給回路を開閉する。操作では、鉛筆はその遠位端、手術部位への高周波または高電力電流のアプリケーション、およびスイッチの要素の共同作業を通じて、このような現行の制御でできる。製造では、スイッチのコンポーネントの設計は、部分的に自動化されたアセンブリを知っている業界では、スイッチと鉛筆の自動組立を開始から終了、と手で部分的な組み立てが可能である。
【背景技術】
【０００２】
電気機器は、近年の外科医によって広く使用されているとなっている。ほとんどの電気機器は、組織のサイトへの無線周波数（ＲＦ）電気エネルギーを（電流）に転送するハンドヘルド機器、または鉛筆が含まれています。電流は、患者（通常は単極使用）の下に位置するリターン電極パッド、または身体との接触または手術部位（通常はバイポーラ使用）のすぐ隣に配置された小さなリターン電極を介してソースに返されることがあります。
【０００３】
ＲＦ電流に起因する波形が印加される電力に応じて、さまざまな効果を生成するために使用され、周波数は使用することができます。これらの効果は、生体組織への電流のアプリケーションで外科的切断、凝固、および焼灼（またはシール）が含まれています。現在は、適切な電気外科用ジェネレータから生成された無線周波電気エネルギーによって生成されます。
【０００４】
これらの有用な効果は、アクティブ電極に接続しているハンドピースを有する"電気鉛筆"手術器具によって手術中で生産されています。これは位置決め用の第２のプラスチックホルダー、および保持適切な電気回路、電流のためのコンジットとして機能する、スイッチを（または存在する中で最も電気鉛筆用ハンドピースの本体は、成形プラスチックのハンドピースで構成されているスイッチ）電流が制御されるかもしれない。電気鉛筆の先端のアクティブ電極は、電流の適切なＲＦ源（すなわち、電気外科用ジェネレータに、内部のプラスチック製のホルダー内の電気回路を通して、そのようなスイッチまたはスイッチによって、電気的に接続されているか電気鉛筆の動作に必要な無線周波電気エネルギーを生成する"ジェネレータ"）。
【０００５】
一般的には、単極性の手続きは電気鉛筆を持つ患者で実行されている場合、発電機からの電気エネルギーは、組織へのアクティブ電極操作のサイトで、その後の患者を介してリターン電極まで行われている。リターン電極は、通常、患者の身体の上で便利な場所に配置され、導電性材料によって発電機に添付されます。アクティブ電極は、外科医は、さまざまな方法で電気鉛筆から電気エネルギーを適用することができるように、様々な形で来る導電性要素である。
【０００６】
バイポーラの手順は発電機から電気鉛筆、電気エネルギーを患者に対して実行されるとリターン電極を患者組織を介して、操作の部位の組織に至るまで、アクティブ電極実施しています。このような場合にリターン電極の単位はｍｍの距離内に典型的には、活性電極の近位です、とのような単極の手順で使用される別個のリターンパッド電極の必要性を軽減、発電機へのリターンパスを提供します。
【０００７】
すでに使用中の電気鉛筆は、ハンドスイッチまたはフットスイッチで操作することができます。しかし、電気鉛筆のハンドピースのスイッチを手で凝固する、外科的切断にそれに適した電流を変えると焼灼、およびカットバックするための標準的な方法となっています。通常は、電気手術器具のシステムは、外科医は外科の鉛筆（外部"ボタン"）の外側に配置された２つの離散的なボタンを使って２つの事前構成された設定（すなわち、凝固および加工）の間で変更することができます。押されたボタンなどは、一般的に、それによって、現在はアクティブ電極に電気鉛筆流すこと、電気鉛筆の導電性のスイッチング素子を活性化する別の導電性または非導電性成分を、活性化する。他のスイッチングの手配は、３つのボタンのシステムとロッカーアームシステム、望まれる機能の数に応じて、そして外科医の好みのスイッチング"感触"とアクティベーションの方法を含めて、開発されている。
【０００８】
設定に関係なく、スイッチの種類と数、使用中の現在電気鉛筆のための多くのスイッチは、１つまたは複数の電気導体（またはストリップを実施）を通じて、発電機のリード線から運ばれる電流電気回路を形成するために適切なサイズ、スタンプ、金属を利用する、アクティブ電極へ。電気鉛筆のための他のスイッチは、接続された導体、ドームスイッチ、および様々なコネクタで、小型のプリント回路基板（"プリント基板"）の使用を含む。スイッチが収集されたら、それは、電気鉛筆のハンドピースにサブアセンブリとして組み込むことができる。
【０００９】
このようなスタンプ電気回路の例は、米国特許番号５３７６０８９および４４２７００６に記載されています。米国特許番号５３７６０８９を示し電気鉛筆のスイッチの回路は電気的にそれぞれを分離する“パンチポイント”スイッチング回路の全体を形成するために、単一部分に刻印され、そしてその後の数で再度スタンプされている発明導電性ストリップの後のスイッチの導電性ストリップが配置され、ハウジング内に固定されています。導電性ストリップを確保した後、スイッチのサブアセンブリは、電気鉛筆のハウジング内に組み立てられている。
【００１０】
単一部分の全ての回路をスタンプすると、ワイヤと半田を行うと、"ブレッドボード"方式で、手で配線を避けるようにピース単位でのスイッチ回路をスタンプする利点の１つは、製造の容易さです。発電機から電流を流すために必要なすべての導電ストリップの一つのスタンプは、アクティブ電極につながるとスイッチ回路をプレスのもう１つの利点は、創造です。同時に、スタンプ操作は、米国特許４４２７００６（総称して、これらは"スプリングコンタクト"と呼ぶことがあります）のように、"カンチレバーの導体ストリップ"米国特許５３７６０８９、または電気的なスプリングコンタクトを作成するために使用されることがあります。スプリングコンタクトは、一般的に発電機のリード線とアクティブ電極間の電気的接触を断ち切るために必要な抵抗性のメカニズムを提供します。操作では、スプリングコンタクトは、電気鉛筆のスイッチ回路の別の方法で電気的に絶縁された電気ストリップ間の電気的接触をするために、曲げることができる。スプリングコンタクトの曲げるのに達すると電気鉛筆のハンドピースの外側から活性化することができるボタンが押されたときに発生します。弾力性のある作品として、しかし、スプリングコンタクトには、元の位置に戻すこと、または電気的接触を破るために、元の位置に部分的に移動し、それによって再び電気的に電気鉛筆のスイッチ回路の電気的なストリップを分離する。これは、アクセス可能な外部のボタンで圧力が低下する場合に発生します。
【００１１】
最も一般的なスイッチングの手配と最大の問題は、全体として電気鉛筆のスイッチ回路を単一ピースに刻印されるかもしれないが、回路の導電性ストリップが電気的にそれぞれを分離するために"パンチポイント"で再びスタンプする必要がある、ということです。電気鉛筆のスイッチ回路の導電性ストリップが電気鉛筆のハンドピースの成形絶縁性保持と位置決め本体内の所定の位置に固定される前にこの第二の、パンチのポイント、スタンプは、一般的に行われます。その結果、電気鉛筆のスイッチ回路の導電性ストリップ、などのその他の必要な電気部品"ドームスイッチは、"人間の思考と選択した人間の目で位置しており、人間の手で触れている必要があります。手の労働は、実際には、モールド絶縁性を保持し、位置決め体へのロードその本体内でそのようなコンポーネントの配置、または場所でそのような部品を固定するための適切な電気部品を見つけるために、利用される配置によっては、しばしば必要になります。電気鉛筆スイッチの電気部品が小さいので、人間がそのような仕事は時々不正確な、遅い、としばしば特別なツールやファスナーが必要です。
【００１２】
導電性ストリップは、モールド絶縁内の所定の位置に固定された後に回路は単一部分に刻印されているアレンジを切り替えるのは少数で、回路の導電性ストリップは、導電性ストリップのそれぞれを分離するためにパンチのポイントでスタンプされることがありますハンドピースのボディを固定する。米国特許５３７６０８９に見られる製造、この種の小さなスイッチの部品のいくつかの人間の取扱いの排除は、しかし、手でいくつかのアセンブリが接触するドーム状の部材としても、この特許の発明ではまだ必要であることができるハンドピースの成形絶縁性保持体がアセンブルされた後で基本的なスプリングコンタクトが配置される必要があり、シールテープは、そのようなドーム状の部材を配置されます。その結果、すべての電気鉛筆スイッチのいくつかの導電性および非導電性成分を実施、現在はまだ、立地選定、そして人間の手によって位置決めされている必要があります。
【００１３】
電気鉛筆があるとして、"使い捨て"ツールの恩恵を受ける人間が、比較的小さくて単純なデバイス、および状況下で医療専門家によって使用されることで組み立てている場合でも、電気鉛筆が生産する安価になっている。しかし、ほとんどの製造品目、およびすべての医療のツール（特に安価な医療用具）のように、電気鉛筆の分布は、全体的なコストへの外科的職業にして、最終的に、彼らの患者および医療費に大幅に追加されます。必要とされているのは、その後、特に電気鉛筆のスイッチ回路が電気鉛筆のハンドピースの成形絶縁性を保持し、位置決め体にロードされる段階で、製造の電気鉛筆さえ少ないリソース集中型の方法です。
【発明の概要】
【発明が解決しようとする課題】
【００１４】
本発明の鉛筆のスイッチは、人間の選択を排除し、電気鉛筆スイッチとハンドピースの組立時に処理することで、電気鉛筆の製造コストを低減します。スイッチの設計は（すなわち、ハンドピースのスイッチとキャビネットの組み立ては完全に自動化され）、１００％機械組立を可能にするスイッチ回路と他の電気部品、の革新的なデザインを通じて、これを可能にし、そうでない場合の使用によって共通コンポーネントである。本発明は、それによって大幅な製造外科医への不必要な費用のドルの節約につながるコスト、患者またはその保険会社に余分なコストの数十ドルを節約、前のデバイスのコストの欠点を克服する。本発明の鉛筆のスイッチはまた、一般的に、利用可能な安価な、そしてスナップドームスプリングを標準化の使用が可能である。さまざまな素材と厚さの異なるものから形成されたと思われるドームスプリングは、電気接点の開閉力のさまざまな提供しています。ドームスプリングはそのための圧力と、"アクション"使用中に鉛筆の外側のアクティベーションボタンを押すか離すかのさまざまを提供しています。これにより、切削と焼灼の繊細な作業を実施しながら、彼らが使用するツールの感触を選択したい、個々の強みや嗜好を持って、個々の外科医として、重要である。発明者が認識しているいいえ特許または電気鉛筆は、コストを削減し、直接人間の注意と努力を解放するために、電気鉛筆のハンドピースのアセンブリの自動化を可能にしない、と発明者が認識しているも電気鉛筆に外科医を許可しないそう細かくので、少しコスト電気鉛筆でアクティベーションボタンの圧力とアクションを選択することにより、電気鉛筆の触感を選択します。
【課題を解決するための手段】
【００１５】
最も単純な形式では、本発明のスイッチは成形、絶縁キャビネット本体にぴったりまたは一体的に適合するように形成された単一の、スタンプ、金属フレーム、構成、および電気的接触の閉鎖は、安価な、標準化された、"スナップインで構成されることを意味されドーム温泉"（"ドームスプリングス"）である。ドームスプリングの凸面は、隣接点に、電気鉛筆のハンドピース外側ハウジングを貫通して延びる茎を持っているボタンと、キャビネットの内部に電気鉛筆ハウジングの外面から外科医によって活性化されることがありますドームスプリングス（"ボタン"）。ボタンは、上記のように、またその後、電気鉛筆の導電性のスイッチング素子を活性化する別の非導電性成分を、活性化することができる。どんなボタンの形状、しかし、それらを押すと、アクティブ電極に電気鉛筆を通して電流が流れます。
【００１６】
本発明の金属製のフレームは、空白の金属板から、単一のタイムスタンプから形成される。金属シートは、アクティブ電極を介して生体組織への電流のアプリケーションで、カット凝固、焼灼、消費税、焼灼、またはシール組織するのに十分な電流を運ぶのに十分な厚さと十分な導電性です。金属フレームは、一度スタンプ、少なくとも三つの実施ストリップ、スイッチ間の電気的接続を提供するストリップを行う"メイン"の実施、電気外科用発電機から主接点のリード線間の電気的接続を提供するストリップと２つのサイドを形成してからリードと同じ電気外科用ジェネレータである。
【００１７】
最初に形成されたときは、すべての３つの導電性ストリップは、最終的には切断される金属製のフレームの細い部分が廃棄される金属製のフレームの部分に接続されている物理的および電気的に残る。メタルフレームのこれらの狭い部分のそれぞれには、土地の峡部が土地のより広い領域に接続するのと同様、二つの大きな金属領域を結ぶ金属の細い首です。このアプリケーションでは、二つの大きな金属領域を接続する金属のこれらの細い首は、"地峡"と呼ばれる。本発明においては、一つ以上の"ストリップの地峡には"と一つの好ましい態様６つのストリップ地峡で、全体として金属製のフレームが形成される金属の同じブランクから形成されています。最初に、これらのストリップ地峡は電気的に地峡を切断または打ち抜き後、主要な実施ストリップとストリップを行う両サイドが物理的および電気的に絶縁されている。しかし、ストリップを行う両サイドでの主な実施ストリップを接続する。主な実施ストリップとストリップを行う両サイドの間にストリップの地峡で提供される物理的なサポートは、初期のスイッチの組立工程でこれらのコンポーネントが保護されているようにストリップを行う主な実施ストリップとサイドがそのような時間までは、単位として取り扱うことができるようになりました絶縁モールドキャビネット部品。これらのコンポーネントが確保された後、メインとサイドの実施ストリップは物理的になると電気的にストリップの地峡を切断または打ち抜きによって互いから分離することがあります。
【００１８】
このようにストリップの物理的な単位を維持し、キャビネット内でそれらを確保することで、ストリップを行うためのこの構成、及びこの組み立て手順は、対応する成形とフレームを結合する機械類を適用することによって、完全に自動化されたプロセスへのスイッチの生産を可能にするプラスチック部品、およびその後カットし（以下に記載されている間にストリップの地峡をパンチされた金属フレームの導電性ストリップを分離するには、他のストリップの地峡には、組立工程の早い段階で別の金属製のフレームに一つの金属フレームを接続し、そしてサポートの同様の機能を提供、金属のフレームが対応するキャビネットに固定されているようになるまで）する。
【００１９】
スイッチ回路のアクティブなコンポーネントにすることを目的に、金属フレームの他の部分は、電気外科用ジェネレータからのリード線に接続するための接点として機能するように屈曲されている。これらは、完全に組み立てられたスイッチでの圧接コネクタになります。メタルフレームの他の部分は、アクティブ電極を受信するために、管状端を形成するために圧着されている、またはアクティブ電極になるように形成されている。好ましい実施形態では、主な実施ストリップはまた、主な実施ストリップの反対側にカット二つの"ベイ"があります。ストリップを行う両サイドがメイン実施ストリップのベイに拡張する突起が形成されている、とそのような突起の端は、ベイのほぼ中央に位置している。好ましい実施形態では、突起は、そのフレームのレベルに実質的に戻る前に、わずかに金属製のフレームの残りの部分によって確立された水準を割り込むように圧着しています。スイッチが組み立てられると突起の低下部分は、キャビネットの底から成形プラスチックで囲まれます。突起の端部は、好ましい実施形態では、それらの金属製のフレーム、または導電側の突起の先端の高さより上に突起の端のレベルを高めるために導電性材料の小さなビーズに適用されている場合がありますストリップは、わずかに隆起コンタクトポイントを作成するために彼らの中心での圧力によって曲げされることがあります。好ましい実施形態では、他の発生ポイントは、どちらかの導電性材料の小さなビーズのアプリケーションによって、またはこれらのポイントでの圧力の適用による主な実施ストリップを、曲げることで、湾の周辺付近に行ってストリップに形成されています。ベイの周辺近くに発生ポイントは、スイッチの組み立て作業中および作業後はスイッチのドームのスプリングを配置するのに役立ちます。
【００２０】
大規模製造では、同一の複数の金属フレームの配列は、より大きな単一の金属のブランクから形成されてもよいし、それぞれの金属製のフレームは、それらを離れて切断することによってお互いの金属フレームから分離することができる。複数フレーム構成では、すべての金属フレームがカットされるまで同じ金属板の一部であり、金属のフレームが分離された後、各金属のフレームの3つの電気コネクタは、電気的に接続されたままになります。しかしながら、本発明の方法の好ましい一実施形態では、個々の金属のフレームにそのようなカットと分離は、フレームがスイッチの成形プラスチック部品に装着されるまで遅延、およびスイッチの組み立てはほぼ完了することができます。これは、金属のフレームが大きく、単一金属のブランク（"フレーム地峡"）から刻印されているときに左に、隣接する金属フレームとの間の地峡を用いて達成することができる。
【００２１】
上述したように、二つの大きな金属領域を結ぶ金属の細い首は、後に切断のために残されることがあります。フレームが大きく、単一金属のブランクからパンチされた後、隣接するフレーム間の領域の場合には、一つ以上のフレームの地峡は、物理的および電気的に、フレームの配列で、それぞれの隣接するフレームを接続する。このように、フレームの地峡には、スイッチの組立工程の早い段階で物理的なサポートを提供しています。キャビネットは、隣接するキャビネット間のフレームの地峡を切断または打ち抜きによって互いに分離されるかもしれない後でそれらは、絶縁性成形キャビネットの部品で固定されているようにフレームの地峡で、金属のフレームがそのような時間までは、単位として処理されることがあります。このようにフレームの配列を形成し、そしてキャビネットの対応する配列内でそれらを確保することにより、フレームやキャビネット、そしてこの組み立て手順、この構成ではアレイに参加する機械を適用することによって、完全に自動化されたプロセス内の複数のスイッチの生産を可能にするのに対応する成形プラスチック部品の配列とフレームを接続し、それらの間のフレームの地峡を切断または穿孔による金属フレームとキャビネットを分離する。
【００２２】
単一のスイッチの製造過程や、組み立てに戻って、単一のスイッチのための単一の金属製のフレームは成形プラスチックキャビネットのベースにぴったりと取り付けることができる。しかしながら、本発明の好ましい実施形態では、金属製のフレームは金型に配置されており、埋め込むように適当な絶縁材料、一般にプラスチックは、成形ベースに、金型内に注入し、の突起の圧着部分ストリップだけでなく、すべてのフレームの地峡を行う。モールドベースのプラスチックも電気的に金属フレームの下側を絶縁する。この位置では、導電性ストリップは、（メインと両方側）廃棄されるべき金属フレームの部分がオーバーハングしている、モールドベースの上に存在する、またはモールドベース、の境界の外に存在する。破棄される金属製のフレームの部分は、キャビネットの外にある間、この位置では、導電性ストリップは、（メインと両方側）、キャビネット内に常駐し、フレームの地峡は、キャビネットの内側と外の間に延びる（または小さなチャネルを介してこれらの部品で形成された）。キャビネットの成形ベースフレームの地峡の位置を修正し、全体の金属製のフレームなどである。モールドベースの金属製のフレームのような固定は、フレームの地峡がキャビネットの側面から突出することができます。一実施形態では、モールドベースは、チャネルがフレームの地峡が突出点でキャビネットを絞り込む、その外側の側面の２つに沿ってチャネルが形成されている。製造中に完成したスイッチからフレームの地峡の切断中に、この縮小は、隣接する成形塩基間の密着にカッターやパンチの挿入が可能である。
【００２３】
単一部分から、または第一および第二モールドベースの部分から形成されたかどうかを成形プラスチックキャビネットは、またその内部（"ストリップの開口部"）にキャビネットの底面からリード開口部が形成されている。ストリップの開口部は、カッターやパンチが十分ストリップ地峡を介してカットして、キャビネットの内部に、キャビネットの外装（その下部）から拡張できるように十分な大きさです。ストリップの開口部はカットされるストリップ地峡の番号と同じ番号になります。したがって、カッターやパンチはスイッチの製造時にストリップの開口部に配置されているときに、メイン実施ストリップとストリップを行う両サイド間のすべてのストリップの地峡を介して切断されることがあります、それによって物理的および電気的に他から指揮ストリップを分離する。本発明の好ましい一実施形態では、ストリップの開口部にその好ましい実施形態では現在の６つのストリップの地峡に対応するキャビネット番号を内部へ開口する。結果として、カッターやパンチがストリップの開口部を通って、キャビネットに拡張されるときに、メイン導体ストリップとストリップを行う両サイドの間に６つのストリップの地峡がカットされ、それによって物理的にお互いにメインとサイドの導体ストリップを分離する。
【００２４】
大規模製造では、前述したように、より大きな単一の金属ブランクから形成された同一の複数の金属フレームの配列は、それらがスイッチの成形プラスチック部品、またはプラスチックに嵌入された後、金属フレームとの間の地峡を切断することによって分離することがスイッチのキャビネットのそれらを保持する金属製のフレームの周囲に形成される。このような構成では、カッターやパンチは、メインとサイド行ってストリップの間に金属のフレームのストリップ地峡をカットするスイッチの配列のキャビネットのストリップの開口部に配備され、同じまたは他のカッターやパンチはされることがあります同じ時間は、隣接するキャビネットの間に金属のフレームの地峡を削減するため、隣接スイッチのキャビネットとの間で展開される。もちろん、導電性ストリップと金属フレーム間のフレームの地峡の間にストリップ地峡が別の操作でカットされることがあります、すべての地峡の他、しかし同時カットの前に一度の操作では、金属のフレームが互いに分離することができ、金属ストリップそれによって、さらに複数のスイッチの製造工程と機械の簡素化、および規模の経済を達成するため、シングルカットの操作で、互いに分離されるため、各キャビネット内に開口する。このような同時切削加工、アレイ内のすべての金属製のフレーム、およびすべてのプラスチックキャビネットのベースコンポーネントまで、金属フレームを固定する金属フレームの周囲にプラスチックを注ぐのを通じて、大きな金属のブランクから金属フレームをパンチから、単一のユニットとして扱われる右上の各キャビネットは、その金属製のフレームで、他のキャビネット、およびすべての指揮ストリップから分離されている点に彼らのキャビネット、とは互いに電気的に絶縁されています。
【００２５】
単一のスイッチアセンブリに戻って、成形プラスチックのベースは、２つのドームのスプリングが配置されるかもしれないに２つのウェル、そのストリップのベイの周辺部での主な実施ストリップとの直接接続でのダウン凹面側、（そして大部分で形成されている）それらのベイをカバーする。好ましい実施形態では、これらの容器はメイン指揮ストリップ内の開口部に実質的に円形である。ように配置する場合、ドームスプリングブリッジはギャップがメイン指揮ストリップのベイによって作成され、そのストリップを行う両サイドの突起の端に集中している。そのような位置で休んで、ドームのスプリングは、メイン指揮ストリップとストリップを行う両サイドの突起の両端のベイの側面の間に、潜在的に閉じて、しかしノーマルオープンスイッチング接点を形成する。そのような位置では、ドームのスプリングは、メイン指揮ストリップとストリップを行う両サイドの突起の両端の間に回路を閉じるために抵抗を提供しています。しかし、ドームのスプリングは、ドームのスプリングが十分にメイン実施ストリップとの一つの突起の端との間の電気的接続を閉じるには、圧縮、または押される可能性がある。そのような閉鎖は、ストリップを行う片側を通して、ジェネレータのリード線から電流を流すことができる。ドームスプリングは、メイン実施ストリップと端間の回路を閉じるために必要な力の様々な設計するために、ユーザーの好みに基づいて、それによって、メーカーを可能にする、回路の閉抵抗のさまざまな提供するために、さまざまな素材と厚さで形成することができるストリップを行う。
【００２６】
成形プラスチックのベースもその上のサービス、すなわちベースの底面からリード開口部が形成されて、開口部は、ベースを介してすべての道から延びる。これらの開口部は、基地からの干渉なしでストリップ地峡カットスルーするために十分な、キャビネットの内部に、キャビネットの外装（その下部）からはみ出す場合がありますカッターやパンチを可能にするために十分な大きさです。これらの基地の開口部がカットされるストリップ地峡の番号と同じ番号になります。したがって、カッターやパンチはスイッチの製造時にベースの開口部に配置されているときに、そのようなカッターはメイン指揮ストリップと基地からの干渉なしにストリップ導体を両サイド間のすべてのストリップの地峡をカットすることがあります。本発明の好ましい一実施形態、その好ましい実施形態では現在の６つのストリップ地峡のストリップの開口部に相当する。
【００２７】
キャビネットは、各ドームのスプリング以上少なくとも一つの活性化の開口部を持つ成形プラスチックキャビネットのカバー曲（"表紙"）と、一つの好ましい態様では、提供、およびその中の一番下に各ドームのスプリングの部分を公開しています各ドームのスプリングの中央で大きくされても、そのように露出する。これらのカバーの開口部を経由して、一つは、適切な形のコンポーネントを使用して、鉛筆の外側にアクティベーションボタンのいずれかから伸びる茎に細長いような、ドームスプリングスに圧力を適用される場合があります。そのような圧力は、それらがそれによって電気的にストリップを行う主な実施ストリップと側を閉じる、それらの中心近くに、ストリップを行う側の突起の両端を連絡するまで抑制するドームスプリングスなります（ドームスプリングは、すでに上に存在する、と電気的に接続される）。この閉鎖は、それによってそれらはボタンを押すいずれかが（一般的に）、それによってそのボタンの活性化の開口部にして貫通するボタンステムを引き起こす外科医によって選択された電気回路を完了し、閉鎖のためのドームスイッチの最上位に対して適切である。それと同時に、うつ病ドームのスプリング、またはドームのスプリングに圧力を適用するために使用されるコンポーネント、またはこれらの要素の両方は、音"クリック"するときに抑うつが生じることがありますドームの機械的な抵抗の断線に追加するときに、これそれが"閉"の位置にパッとバネのように、鉛筆の（電気的にアクティブまたはパッシブ）状態に関する外科医与えられるフィードバックは強調している。
【００２８】
組み立て中に、選択（または他の回路の開閉素子）のドームのスプリングがベースで、その容器内に配置されています。この位置では、主要な実施ストリップのベイを中心とするドームスプリングは、上にあるときに接触する。ドームのスプリングが配置されると、キャビネットのカバーは、キャビネットの上に配置し、所定の場所に固定されることがあります。キャビネットにカバーを固定しているが、一般的に代わりに"スナップ"するまで、これらの緊密なフィッティング個を一緒に押す簡単な機構で実現されます。しかし、カバーが摩擦によって、または小さなフックと溝の形成によって、またはそのようなフィット部分に通常の他の手段によって保持することがあります。
【００２９】
キャビネットのこのような構成で一つの大きな利点は、（ストリップを行うと）、ドームスプリングス、鉛筆の住宅、および外部のボタン（ボタンの茎付き）、"ドームスプリングは外側の間に接触する際にスイッチ内の回路の電気的活性化に常駐ストリップ導体を両サイドから伸びる突起の両端で作成されたピンは"主な実施ストリップと中央の湾の周辺の"リング。ドームスプリングスで満たされた導電部のこの機能は、上述したように本発明の好ましい実施形態では、任意の導電性材料から形成され、別の図形の数にすることができます。ドームスプリングスは、外科医のためのバックアテンダント触覚と音声によるフィードで、望ましい"スナップ"アクションを提供しています。ドームスプリングは、希望の仕様を満たすように選択することができる。しかし、他の接触要素はドームスプリングの代わりに用いてもよい、とそのような他の要素も、特定の望ましい特性を与えるように選択することができる。たとえば、ある顧客が他の顧客が非常に低い力の活性化を（脳神経外科で共通である）するかもしれないが、高い力の活性化を（整形外科で共通である）場合があります。まだ他の顧客には、金めっきドームのスプリングやその他の金メッキサーキットの閉鎖要素があるのはリング間の接触を作るために採用されていてもよい、半再利用可能なスイッチ（したがって、鉛筆）または、おそらく非常に低い（電気）抵抗コンタクトを望むことができる。
【００３０】
我々は、他の"統合型"スイッチのデザインを使用してプリント回路基板（ＰＣＢ"）のみ、または時を使用して電気鉛筆のスイッチを構築する柔軟性がないと、この柔軟性と選択肢を対比することがあります。電気鉛筆用のスイッチを作成するためにＰＣＢを使用する場合、例えば、可動部品"貼り付け"する必要があります。アクティベーション力、またはスプリング"アクション、"または電気抵抗、または可聴サーキットの閉鎖のフィードバックを変更するには、一つは新しいＰＣＢを"構築する"必要があります。他の統合されたスイッチはまた、金属のストリップの形で、接触のメカニズムを固体、一枚を使用して、"スナップアクションを"（"Ｍのスプリング"）を提供するために折り曲げられている。スプリングのこのタイプは、スイッチに不可欠である、とスイッチの導電性ストリップはブランクからパンチされたときに作成されたとして、それらが本発明のスイッチでできるように、上述の活性化特性は、変更することはできません。すべての前のスイッチでは、"１"（タイプの）スイッチがあるだけです。本発明のスイッチの機構は、一方で、メーカーやユーザーがキャビネットカバーの開口部に接触するものなら何をドロップすることができます。
【００３１】
キャビネットはまた、電気的に発電機に接続することを意図した電線を保持し、電気的に金属フレームの圧接コネクタにより、配線を接続するための、電気外科用ジェネレータからリードの近位、発電機の接続部を備えている。発電機の接続部と圧接コネクタは電気的には独自の接続線に導電性ストリップの各々を接続し、そしてそれに対応する圧接コネクタから分離に対して各ワイヤを保持する構成で形成される。しかし、キャビネットの発電機の接続部は、２つの目的のための独自の小さな"キャップ"で閉じられます。最初に、小さなキャップは、組立工程の間に位置し、所定の位置に配線して保持するためにワイヤガイドと配置"フィクスチャ"を提供しています。一般的に数の３つです（本発明の好ましい一実施形態では３つです）の接続配線は、電気的に発電機への挿入は、スイッチの各対応する導電性ストリップに電流を供給しているコネクタプラグに接続されています。これらの接続を行うために、接続ワイヤが自動切断機の固定長さに切断されています。接続ワイヤは、その後スイッチの更なる組み立てのためのガイドとして機能することができる発電機の接続部のキャップ３つの"チャンネル"に配置されている。キャップにワイヤを接続するのは、この位置決めは、次のステップのために必要な非常に厳しい公差の位置の３つの接続線を保持しています。キャビネットの発電機の接続部は、その接続ワイヤで、キャップに接合されている。これは、最高の（静止）キャップに、その内部の導電性ストリップとそのキャビネットカバーで、スイッチのキャビネットを押すことによって実現されます。ワイヤガイド付きキャップは、２つの部分が自動化された組立工程で非常に正確に同時押しをすることができるので、非常に正確で安定した"プラットフォーム"を提供する。
【００３２】
発電機の接続部は、そのキャップを閉じ、そして接続配線が、それによって所定の位置に保持されると、スイッチのサブアセンブリは完了です。金属フレームは、金属フレームの圧接コネクタで固定されたカッターやパンチ、接続ワイヤの挿入のためのストリップの開口部を持っているクローズドキャビネット内にある、スイッチの近位端から延び、との管状端金属フレームは、スイッチの遠位端から延びている。物理的および電気的にスイッチ内で行ってストリップを分離するには、上またはそれ以上のカッターやパンチは、それによってお互いから行ってストリップを分離、ストリップの開口部に挿入されます。スイッチは、近位端から延びる電線を接続すると、スイッチ（すなわち、ハウジングの上部と下部のスイッチを受け入れるように成形されている）を保持するために形成された位置に、鉛筆の中空ハウジングの下半分内に配置されます。鉛筆の本体ハウジングの上半分は、それが対象となった位置で、本体ハウジングの下半分の上に配置されたボタンで、設計されたスイッチのカバーの開口部を通って延びる茎、そのボタンのヒントは、上または非常にドームスプリングスの凸側面の中心親愛なる存在する茎である。上部本体ハウジングは、それによって鉛筆のハウジングを閉じ、そして囲み、下部本体ハウジングに所定の場所に固定されています。
【００３３】
代替で、鉛筆の中空の筐体は一体で形成する、または残された開口をしてスイッチが中空のハウジングの一端に挿入することができるように、結合されている２つの部分、すなわち形成されてもよいシングルピース（または２個が結合された後、左）の形成時の中空のハウジングの端である。鉛筆に０スイッチのようなアセンブリは、中空のハウジング部品の取り扱いを減らし、そしておそらく正確に中空のハウジングの２個（半分、一般的に）参加の必要性を排除するという利点があります。シングルピースハウジングがスイッチを受け入れ、そして所定の位置に保持するために成形複数ピースのハウジング、同じようにある。一実施形態では、単一の中空体と５スイッチのキャビネットは、スイッチが適切に中空のハウジング内に配置されている"スナップフィット"を可能にする突起部をフックして形成することができる。
【００３４】
この方法で電気鉛筆スイッチを組み立てる完全な利点は、全体の組立工程を自動化し、同時に多くのスイッチを組み立てるためにプロセスを拡張することによって得られます。スイッチの０装置は、実際には、組み立てだけで、複数のスイッチに自分自身を貸すように設計されています。これを達成するために、完全に自動化された機械は、スイッチと鉛筆組立のプロセスのあらゆる段階を通じて、形成し、コンポーネントの配列を処理し、位置とお互いへの配列の構成要素を確保するために用いることができる。このような大規模製造では、前述したように、同一の複数の金属フレームの配列は、複数のフレーム構成で、これですべての金属製のフレームは、すべての電気導体と一部残っている、より大きな単一の金属ブランクから形成することができる同じ金属板の（後述するようにして、後で切断されるまで）この構成では、ストリップの地峡とフレームの地峡は、物理的および電気的にフレームの配列で、それぞれの隣接するフレームを接続し、物理的および電気的に各フレーム内の各実施ストリップを接続する。金属フレームの配列は、成形の塩基の配列を形成するために設計された鋳型に、配列として、配置することができる。適当な絶縁材料は、塩基の配列内で、各フレームのストリップを行う側の突起の圧着部分を埋め込むように配列の型に流し込みされることがあります。破棄される金属のフレームの部分は、キャビネット配列のキャビネット外にある間、この位置では、フレームの配列の導電性ストリップは、キャビネットの配列内に存在する。フレーム地峡は、キャビネットの内側とキャビネットの外側の間に延び、そしてキャビネット配列のキャビネットとの間で、フレームの地峡としてキャビネットの側面から突出している。
【００３５】
大規模な製造、適当なドームスプリングス（または他の接続部品）の配列、そしておそらく特別に選ばれまたは変数を続けると、特性は、それによって接触してドームのスプリングを配置し、成形の塩基の配列のウェルにドロップされますキャビネット拠点の配列内の各フレームの主な実施ストリップのベイの周辺部でのリング。カバーの配列の型で、以前に形成されたキャビネットカバーの配列は、次にキャビネットの配列上に配置することができ、単一のキャビネットやカバーのために、上記の方法でキャビネットに固定カバーです。スイッチの配列のアセンブリを競うために、以前に自動切断機では固定長に切断される電線の接続の配列は、次にスイッチの配列内の各スイッチにグループ化されることがあります。以前に形成された発電機の接続のキャップの配列は、グループ化された接続ワイヤの配列、およびキャップの配列内の各キャップのチャンネルに押されたグループ化された線の配列を受け入れるように配置されてもよい。密閉型キャビネットの配列は、キャップの配列、キャップが直面している発電機の接続のセクション、および（固定）キャップの配列上の位置にするために押されたキャビネットの配列上に配置されることがあります。このようなアセンブリでは、キャビネットの配列内の各スイッチのすべての接続ワイヤは、その対応する圧接コネクタを介して、電気的には独自の接続線に接続され、各接続線は、対応する圧接コネクタから分離に対して開かれている。
【００３６】
キャビネットのカバーとキャップは、カバーとキャップは組立時にベースに参加しているときにベースチャンネルに合わせて配置さ、ノッチを形成することができる。このアライメントは、切削工具、自動化されたアセンブリ内のキャビネットの配列範囲内において政令の閉鎖後の密閉型キャビネットの両側のノッチとチャネルを介して、"まっすぐに"移動してから、密閉型キャビネットを分離することができます。
【００３７】
大規模な製造を続けると、ストリップの開口部とフレームの開口部に拡張するために形成されたカッターやパンチの配列は、メインの間にストリップ地峡をカットするスイッチの配列で、キャビネットの配列のストリップの開口部に導入することができます。各スイッチのストリップを行い、側。同時に、同じまたは他のカッターやパンチはフレームの地峡を削減するために、近いフレームの地峡の切断を可能キャビネットのチャンネルとノッチで、スイッチの配列に隣接するスイッチのキャビネットの間に配置することができます隣接するキャビネットの間に金属製のフレーム。もちろん、ストリップ地峡とフレームの地峡を優先自動組立工程に、必要に応じて、他の前に一度の操作、別の操作で切断することができる。すべての地峡の同時加工は、単一の切断操作で互いに分離されるため、その配列内の各キャビネット内で互いに分離されるため、アレイ内のキャビネット、およびすべての金属のストリップが可能になります。しかし、ストリップ地峡最初の切断、およびフレーム地峡番目は、各スイッチ内で実施するストリップは互いに分離された後、スイッチの配列内のすべてのスイッチのグループの処理を可能にするさらなる利点を持っています。これにより、さらにボディのハウジングの端から伸びる電線を接続すると、スイッチの配列内の各完全に組み立てられたスイッチをスイッチの配列を保持するために形成された位置に、対応する中空体の筐体の配列で配置することができます。ボタンは、ボタンのヒントように配置することができますスイッチの配列内のドームスプリングスの凸側面の中心親愛なる非常に上に存在するか、または茎。カッターは、隣接するキャビネットの間に金属のフレームの地峡を削減するために、キャビネットのチャンネルとノッチで、スイッチの配列に隣接するスイッチのキャビネットの間に配置され、ツーピースハウジングの上部本体ハウジングの半分（されることがあります）し、それによって鉛筆ハウジングの配列を閉じ、そして配列のスイッチを囲む、底本体ハウジングの半分に所定の場所に固定されることがあります。
【００３８】
流体のエントリの抵抗は、マナーの数で達成することができる。フィルムは、本体ハウジングとキャビネットのベース部に流体エントリを抵抗する、そのカバーとの間に追加される可能性があります、"ガスケット"シーリングドームスイッチの最上位に追加される可能性があります、"プラグを"封印の活性化幹保持に追加されることがありますキャビネットのベース上部カバー、またはアセンブリ全体がそのようなシリコーン"スリーブ"または熱収縮スリーブまたはスイッチのアセンブリを"包む"の他の同様の方法など、さまざまなマナー、数に包まれる可能性があります。
【００３９】
本発明のより重要な特徴は、このように、以下の詳細な説明の物をより良く理解できるように、かなり広く、概説している、と順番に芸術への現在の貢献がよりよい理解することができること。本発明の特定の実施形態の付加的な機能について説明する。しかし、詳細に本発明の好ましい実施形態を説明する前に、本発明は、実質既存の装置と従来技術の方法から出発し、そうすることで組み立てを乗算することが強く望まれる能力をユーザーに提供することを簡潔に指摘されることがあります電気鉛筆は他のコンポーネントの配置、形成、および所定の位置に固定されている間に、コンポーネントを保持するためにスイッチの金属の導電性部品を使用して切り替えます。このような大量の処理が大量に新鮮なコンポーネントと自動機械、そして"フィード"、それを維持することを除いて、人間の注意力を必要とせずに、自動機械を使用して、そのような複数のスイッチの組立、さらには全体の鉛筆が可能になります。
【００４０】
本発明の目的
本発明の一つの目的と利点は、ほぼ完全に自動化装置を含む完全に自動化された、非常に効果的なコスト、高効率なプロセスに電気鉛筆用スイッチの生産である。
【００４１】
本発明のもう一つの目的と利点は、スイッチと安全性向上と信頼性を有する電気鉛筆の生産です。
本発明のもう一つの目的と利点は、スイッチと柔軟性と選択肢の活性化の力、またはスプリング"アクション、"電気抵抗、および可聴サーキットの閉鎖のフィードバックを持つ電気鉛筆の生産です。
【００４２】
本発明のもう一つの目的と利点は、スイッチと簡単に組み立てられる部品を、限られた数を持つ電気鉛筆の生産であり、そのうちのいくつかは標準的な商用のコンポーネントとして利用可能です。
【００４３】
本発明のもう一つの目的と利点は、スイッチと２つの屈曲部分をもつ電気鉛筆の製造である、スイッチ電気外科用ジェネレータとアクティブ電極の先端との間の電気的接触をするために使用される２つのドームである。
【００４４】
本発明の他の特徴および利点は以下に記載された発明の現在好ましい態様の詳細な説明から記載し、又は明らかにされています。
本明細書に組み込まれ本明細書の一部分を構成する添付の図面は、本発明の二つの好適実施形態を示し、そのような図面は、本明細書中に記載された説明と共に、本発明の原理を説明する役割を果たす。
【図面の簡単な説明】
【００４５】
【図１】図１は、フレームの上部から見た本発明のスイッチの電気回路のフレームの好適実施形態の平面図である。
【図２】図２は、それらが組み立てられる前の本発明のスイッチのコンポーネントの好適実施形態の上面図である。
【図３】図３は、ペンシルの左前の方角から見た本発明のスイッチの好適実施形態の分解斜視図である。
【図４】図４は、スイッチとペンシルの組み立てのいくつかの工程を示す本発明のスイッチの好適実施形態のフローチャートである。
【図５】図５は、スイッチとペンシルの組み立ての残りの工程を示す、図４に示された本発明のスイッチの同じ好適実施形態のフローチャートの続きである。
【発明を実施するための形態】
【００４６】
第１好適実施形態
図１を最初に参照すると、本発明のスイッチの電気回路のフレームの第１実施形態がトップダウン平面図で示される。図１において、本発明の単一フレームをスタンプすることで、導電性金属の空白のシートから形成される単一の部分から構成されます。斜線の描画で提示されたフレーム１０の部分１１は、成形、絶縁キャビネット本体（図示せず）にぴったりまたは一体的に適合するように意図されています。刻印されたフレーム１０から金属シートは十分な厚さとアクティブ電極（図示せず）を介して生体組織に電流のアプリケーションで、カット凝固、焼灼、消費税、焼灼、またはシール組織するのに十分な電流を流せるだけの導電性です。フレーム１０、一度スタンプは、電気外科用ジェネレータ（図示せず）から主接点のリード線間の電気的接続を提供するストリップ１２を実施する少なくとも三つの導電性ストリップ、"メイン"、とストリップ１３および１４を、導電性両サイドを形成している同じ電気外科用ジェネレータからスイッチのリード線（図示せず）との間の電気的接続を提供します。
【００４７】
図１に示されるように、すべての３つの導電性ストリップ１２、１３、および１４は、狭額縁で金属製のフレーム１０の外装部１５と１６にフレームの地峡１７、１８、１９、２０、２１、および２２を接続し、物理的および電気的です。すべてのフレームの地峡は、最終的に示されている点で、スイッチの組立中に、カットスルー、およびエクステリアの部分は破棄されます。
【００４８】
図１は、最初に電気的にストリップ１３および１４を実施する両サイドでの主な実施ストリップ１２を接続する６つのストリップ地峡２４，２５，２６，２７，２８、および金属フレーム１０，２９を示しています。しかし、すべての6つのストリップ地２４，２５，２６，２７，２８および２９は最終的に物理的および電気的にそれぞれのすべての行動のストリップ１２，１３，１４を分離するために、示されたポイントで、スイッチの組立中に、カットスルーされます。メイン実施ストリップ１２およびスイッチの組立工程の早い段階でストリップ１３と１４を行って両サイドの間にガザ地峡２４，２５，２６，２７，２８および金属製のフレーム１０の２９が提供する物理的なサポートは、すべての指揮ストリップすることができますこれらのコンポーネントのような時間が絶縁成形キャビネットの部品（図示せず）に固定されるまで、単位として扱われるようにします。ストリップ１２，１３，１４が確保されている、主な実施ストリップ１２とストリップ１３および１４は、物理的および電気的地峡２４，２５，２６，２７，２８のカットやストリップをパンチによって互いに分離されることがあります。この方法でストリップ１２，１３，１４を実施し、非導電性のキャビネット内でそれらを確保する物理的な単位を維持することで、ストリップを行うためのこの設定は、参加する機械を適用することによって、完全に自動化されたプロセスへのスイッチの生産を可能にする対応する成形プラスチック部品（後の図に示す。）付きフレーム及びその後ストリップ１２，１３、およびストリップ地峡２４，２５，２６，２７，２８および金属の２９を切断または穿孔による金属フレーム１０の１４を行って分離する。
【００４９】
図１はまた、電気外科用発電機（図示せず）からのリード線に接続するための接点として機能するように曲がっている回スイッチ回路のアクティブコンポーネントであることを意図している圧接コネクタ３０，３１および３２を示しています。図１はまた、それが曲がり、アクティブ電極を受信するための管状端を形成するために圧着されるとアクティブ電極（図示せず）を保持、およびスイッチ回路の活性成分であることが意図されているタブ３５を示しています。また、主な実施ストリップ１２の反対側で切断されている２つのベイ４０と４１を示しています。ドームスプリング（図示せず）が電気的に接触するために休むことができる対象となる主な実施ストリップ１２上に周縁ベイ４０，４１がある。ストリップ１３および１４を実施する二つの側面が主導電性ストリップ１２のベイ４０と４１内に延びる突起４４及び４５が形成されている。周囲に対してベイ４０と４１の４２と４３を休んで同じドームのスプリングが接触する可能性がある、真ん中"ピン"として突起４４及び４５の４６と４７が行動終了します。突起４４及び４５の４６と４７がベイ４０と４１のほぼ中央に配置されて終了します。この好ましい実施形態では、突起４４及び４５はまた、若干フレーム１０の残りの部分によって確立された水準を割り込むように、その長さ方向に沿って折れ曲がっています。突起４４及び４５の低下部分は、本実施形態ではスイッチ（図示せず）が組み立てられるとキャビネットの底から成形プラスチックで囲まれます。突起４４及び４５の両端には、両端の金属フレームのレベル以上の４６と４７のレベルを上げるために、それらに導電性材料の小さなビーズ（図示せず）を適用、または４６と４７を両端に圧力で曲げることができるかもしれない。この好ましい実施形態では、他の発生ポイント（図示せず）メイン実施ストリップ１２の、４０と４１フォームベイの４２と４３と外周部の近くに、どちらかの導電性材料の小さなビーズ（図示せず）のアプリケーションによって、または曲げることにより形成することができる。
【００５０】
操作では、ドームスプリング（図示せず）ベイ４０と４１の４２と４３はメイン指揮ストリップ１２に電気的に接触すると維持周囲でリング上で休憩する。ときに外科医が押す手元の作業のために所望の電流と電圧の対応するボタンを（後の図に示すように）、ドームのスプリングが曲がり、（選択肢の一つ）も突起４４とで電気的に接触するように落ち込んで可能性があります。このアクションによって、外科医は、電気的にストリップ１３および１４を実施する側の一つ（のような外科医が希望する）を介してメイン実施ストリップ１２をアクティブにすることができます。このような活性化によって、外科医によって所望の電圧を運ぶ選択肢の回路は、バック電気外科用ジェネレータに、アクティブ電極、および患者によって完成されています。
【００５１】
図１はまた、複数の金属のフレームが大きく、単一金属のブランクから形成される際に追加のフレームが同一の複数のフレームの配列に配置される可能性がフレーム１０の両側に破線で示しています。フレームの配列はこのような大きな金属のブランクから刻印された後、それらはフレーム地峡１７、１８、１９、２０、２１、および２２を切断または打ち抜きによって一方から他方に分離されるまで、すべての金属製のフレームは、同一の金属板の一部です。フレームの配列内のすべてのフレームが対応するスイッチの成形プラスチック部品の配列、およびスイッチのアセンブリに装着されるまで、本発明の方法の好ましい一実施形態では、個々の金属のフレームにそのようなカットと分離が遅れる場合がありますほぼ完了です。このようなフィッティング後は、その後それぞれのフレーム１０は、フレーム地峡１７、１８、１９、２０、２１、および２２で、それらを離れて切断することによってお互いの金属フレームから分離、点で示されている、とすべての外部の部分１５と１６は破棄されることがあります。
【００５２】
図２を参照すると、本発明のスイッチのモールドベース７０は、平面図のトップダウンで表示されます。ベース７０（非導電性外装を）成形キャビネットは内に埋め込まれた導電性の要素（図１及び図２Ｂの金属製のフレーム１０）と、単一の部品として形成される。図に示すように、図２Ａは、別の作品ではなく、モールドベース７０の底部要素５０はその上部から見ることができれば、そのためです。金属製のフレーム１０と金属製のフレーム１０下のベース７０のその部分である要素５０は、ベース７０内に埋め込まれている、従って成形ベース７０の底部の開口部の詳細なレビューが可能になります。要素が５０を示して、金属製のフレーム１０下のベース７０のプラスチックの単なる部分（要素５０は、上から見ることができる場合）として表示されるかもしれないがそれに応じて、成形ベース７０は、上部から見たオープンキャビネットとみなすことができるモールドベース７０の底部の開口部に配置される。
【００５３】
図２Ａでは、六実質的に円形のモールドベースの開口部５１，５２，５３，５４，５５，５６およびキャビネットに成形ベース７０の底面から導く。これらの開口部は、カッターやパンチ（図示せず）の挿入を可能にするために直径で十分な大きさです。図２Ａは、また、成形されたベース７０はその長さに沿ってポイントで絞り込まれているどのポイントで３つの矩形の開口部をモールドベース７０にリード５７，５８，５９及びモールドベースのチャンネル６０，６１，６２，６３，６４，６５を示しています。
図２Ｂは、図に示すように、同じ単一の、単一の、スタンプ、金属フレーム１０を示しています。金属製のフレーム１０は、図で参照されるすべての機能を持っています。電気外科用ジェネレータから主接点のリード線（図示せず）と、活性電極（図示せず）との間で、単一のスイッチのために、電気的接続を提供する。金属製のフレーム１０のような機能は、ストリップ１３および１４、わずかに金属の残りのフレーム１０によって確立されたレベル以下に浸漬などの圧着部分を実施する突起４４と両サイドの４５の長さに沿って圧着部分が含まれています。金属製のフレーム１０は、成形することにより、ベース７０を形成することを目的と金型（図示せず）に配置することができる。埋め込むように一度そのような位置、適切な絶縁材料、一般的にプラスチックで、ベース７０の下部（図２Ｂに素子５０として表示される）突起部４４と、両サイドの４５の圧着部分で、その金型に流し込みされることがありますストリップ１３および１４を実施する。モールドベースのプラスチックの絶縁する金属製のフレームの下面１０が電気的に一度、金属フレーム１０は、この方法によってベース７０に固定された。金属製のフレーム１０の部分は１５と１６はオーバーハング、または、ベース７０の側面と端を拡張廃棄するようにしながら一度に固定された、すべての導電性ストリップ１２，１３，１４は、ベース７０内に埋め込まれている。管状端を形成するように折り曲げて図２Ａは、また活性電極（図示せず）を保持するために意図されているタブ３５を示しており、スイッチ回路の活性成分は、かつて６６とタブ（図１に示すように）終了するアクティブ電極を受信する。
【００５４】
図２Ｃでは、ベース７０はメイン指揮ストリップ１２との直接接続では、凹面側を下、ドームスプリング１１０と１１１が配置されるかもしれないに、容器７１及び７２が形成されている。外側の端９１とドームスプリング１１０の９２と１１１の周囲またはその近くに存在し、主に、ベイ４０と４１をカバーしています。この好ましい実施形態では、容器７１及び７２はベース７０に、保持側面と、実質的に円形の開口部です。実質的に円形のベースの開口部７５，７６，７７，７８，７９およびダウンその底面にベース７０の上面から導く。しかし、金属製のフレーム１０の露出部分は、それによってそのような露出部分へのアクセスを許可する、ベース７０の成形プラスチックから延びる。ベース７０の開口部７５，７６，７７，７８，７９および８０は、それが組み立てられるとスイッチの内部にベース７０の上部からはみ出す場合がありますカッターやパンチを可能にするために十分な大きさです。モールドベースの上面から見たベースの開口部７５，７６，７７，７８，７９および８０は、フレームの露出部１０を示す途中で、単に開口部５１，５２，５３，５４，５５および６５の残りの部分です。開口部７５，７６，７７，７８，７９と８０（と５１，５２，５３，５４，５５および６５）数字に（本実施形態では）６つのストリップと同じベース地峡２４−２９がカットされる。したがって、カッターやパンチがベースの開口部７５，７６，７７，７８，７９と８０に配置されているときに、そのようなカッターはメイン指揮ストリップ１２とストリップ１３および１４を実施する両サイドの間のすべてのストリップの地峡をカットすることがあります。
【００５５】
図２Ｃでは、ベース７０は、開口部は図の同じ開口部５７−５９は３つの一般的に長方形の開口部８１−８３を、持っています。図２Ａは、ベース７０の上面から見た図である。図２Ｃは、また６つのベースチャンネル９０−９５、その長さに沿って点で狭いベース７０を示す。図２Ｃは、ベース70の上面から見た図２Ａの同じベースチャンネル６０−６４です。
【００５６】
図２Ｄでは、ドームスプリング１１０と１１１はベース７０の容器７１及び７２（図２Ｃに表示される）内で、凹面側下に、配置することができます。容器７１及び７２としてベイ４０と図４１の上に配置するように形成されています。 図２Ｂのメインストリップ１２、ドームスプリング１１０と１１１周辺部４２の残りの部分と組立時に配置ベイ４０と４１の４３を行う。ドームスプリングス１１０，１１１、ブリッジベイ４０と４１、及び突起４４及び４５の両端４６及び４７を介して中央に配置されます。周縁部４２と４３と４６と４７を終了する間にそのような位置、ドームスプリングス１１０，１１１、フォームで正常にオープン、スイッチング接点する。図２Ｄはまた、キャビネットカバー１２０及びキャビネットキャップ１４０を確保するために使用される８つ（本実施の形態で）、ベース端子１００−１０７を示しています。
【００５７】
図２Ｄの下からキャビネットカバー１２０が表示されている。 図２Ｆは、ドームスプリング１１０および１１１のそれぞれの中心の上に直接配置される少なくとも２つのアクティベーション開口部１２１，１２２が形成されている。そのような位置では、アクティベーション用の開口部は、かつてキャビネットカバー１２０がキャビネットのベース７０に固定され、容器７１及び７２の下部に、その中心付近で、各ドームのスプリング１１０および１１１の一部を公開する。キャビネットカバー１２０がベースにカバー１２０を固定する穴１２５−１２９、およびベース端子１００−１０７と係合するための１３０を確保する８つのカバーを形成することができる。
【００５８】
図２Ｄの底からキャビネットキャップ１４０が表示されている。 図２Ｆには、ぴったりとその両端の絶縁を事前に除去されているワイヤ１５１，１５２及び１５３（図２Ｅ）を接続する受信するために形成されたガイドは、少なくとも３つのガイド１４１，１４２および１４３が形成されている。ワイヤ１５１，１５２及び１５３を接続した後カバー１２０が付着したとき、ガイド１４１−１４３、全体のキャビネットに押されて、隣接するキャップ１４０を位置付け、およびキャップ１４０に対して所定の位置に押し、それによって圧接コネクタを促しされることがあります。それと同時に、キャップ１４０の穴１４４および１４５を確保するキャップは、ベース７０にキャップ１４０を確保するために、ベース端子１０３および１０４（図２Ｃに示すように）と係合させることができる。
【００５９】
キャビネットカバー１２０及びキャビネットキャップ１４０にも合うように配置されているノッチ１３１−１３６で形成されることがありますベースチャンネル９０−９５カバー１２０とキャップ１４０は、組立時にベース７０に接合されている。このアライメントは、キャビネット内のドームのスプリングやその他の部品の配置の挿入後にクローズキャビネットの側面に"まっすぐに"移動する切削工具、キャビネットの閉鎖を可能にし、密閉型キャビネットの分離のどちらか"房"に完成したスイッチは、鉛筆のハウジングのいずれか"配置""半分（ツーピースの鉛筆）または、"バックから鉛筆のハウジング内に（一枚の鉛筆）"が挿入され自動化される。いったん１２０をカバーとキャップ１４０は、キャビネットの上に閉じられ、そしてワイヤ１５１，１５２を接続し、それによって場所で開催された１５３は、スイッチのサブアセンブリは、実質的に完了しています。メタルフレーム１０は複数持っているクローズドキャビネットのベース７０内に埋め込まれ常駐カッターやパンチ、および接続ワイヤ１５１−１５３の挿入のためのストリップの開口部は、ワイヤ１５１，１５２を接続し、そのような位置で。圧接コネクタ３０，３１および金属の３２フレーム１０で固定、および１５３から延びているスイッチのサブアセンブリの近位端、および金属製のフレーム１０の管状端６８は、スイッチキャビネットの遠位端から延びている。今、物理的および電気的に、スイッチ内の１つまたは複数のカッターをストリップ１２−１４を実施分離するまたはパンチ（図示せず）ストリップ開口部（構成ベースの開口部５１−５６、７５−８０）に挿入されています。挿入すると、カッターは移動することがあります。ストリップ地峡２４−２８および金属製のフレーム１０の２９がストリップ地峡２４−２９を貫通し、その全体のすべてのストリップの開口部は、それによってストリップを行う。同時に、またはその後、スイッチは、サブアセンブリは、ベースチャンネル９０に沿って延長されているカッターやパンチで、外装部１５と金属枠１０の１６の縮小される、９１−９５、６０−６４とベース７０の６５、それによってフレーム地峡１７−１９を介して切断することによって外装部１５と金属枠１０の１６を切り取る。スイッチサブアセンブリは、現在、本発明の鉛筆に組み立てることができる。
【００６０】
第２好適実施形態
図３を参照すると、鉛筆の組立は、分解図に見られることがあります。金属製のフレーム１０は、ベースの金型（図示せず）に配置し、適当なプラスチックは、成形ベース７０を形成するためのベース金型に注入されることがあります。突起４４およびストリップ１３および１４を実施する両サイドの４５の部分が金属フレーム１０のレベル以下に拡張するために曲がっているように、金属製のフレーム１０は、基地内のプラスチック製の一回金属のフレーム１０の下方にベース７０のその部分５０内に固定される金型は、設定、およびスイッチのキャビネットが形成される。ドームスプリング１１０および１１１は、ストリップ１２を行うメインの湾４０と４１の周縁部４２，４３に対して休むように、ベース７０の容器７１及び７２内に配置することができる。カバー１２０は、その後、ドームスプリング１１０と１１１のマッチング凸上部に装着カバー１２０の底面上に凹面１２３および１２４と、キャビネットの上部を覆って配置、および１２０をカバーして閉じるには、所定位置に固定させてもよい。オプションで、湿気の障壁１８０は、サブアセンブリを切り替えるために水分のエントリを減らすために、ベース７０とカバー１２０との間に配置することができる。
【００６１】
図３で継続すると、キャップ１４０が本発明の自動化されたプロセスでは機械、自動化を使用してキャビネットにワイヤ１５１−１５３を接続して参加するために採用されることがあります、キャップは接続ワイヤを配置し、保持するためにワイヤガイドと配置"フィクスチャ"を提供する。ワイヤ１５１−１５３と絶縁変位コネクタ３０、金属枠１０の３１と３２を接続する間の電気的接続を行うために、そしてそれによって、発電機から電気リード線からそれぞれ対応する導電性ストリップ１２−１４に電流を供給接続ワイヤ１５１−１５３は、自動切断機の固定長さに切断されています。次に、これらをガイド１４１、１４２およびキャップ１４０の１４３に配置されています。キャップ１４０にワイヤ１５１−１５３を接続するのは、この位置決めは、接続ワイヤ１５１を保持しています。
【００６２】
キャップ１４０が確保されるためにスイッチのキャビネットの一部は、発電機の接続部を呼ぶことができる。電気外科用ジェネレータからリードの近位となるキャビネットのこのセクションでは、配線を接続を介して、電気的に発電機を接続するために意図されているワイヤ１５１−１５３を、接続して保持しているキャビネットのセクションを構成することを目的としています。発電機の接続部、絶縁変位コネクタを構成で形成される電気的に独自のそれぞれの接続ワイヤ１５１−１５３の各々に行ってストリップ１２−１４の各々を接続し、そしてそれに対応する断熱材からの分離に対してそれらを保持する。キャビネットの発電機の接続部は、その位置付け接続ワイヤ１５１−１５３と、キャップ１４０に接合されている。これは、最高の（静止）キャップ１４０に、その実施ストリップ１２−１４とキャビネットカバー１２０と、スイッチのキャビネットを押すことによって実現されます。ワイヤガイド１４１−１４３とキャップ１４０は、キャビネットとキャップ１４０は、自動組立工程に非常に正確に同時押しをすることができるので、非常に正確で安定した"プラットフォーム"を提供する。
【００６３】
サブアセンブリは、その後のワイヤ１５１，１５２、及び近位から伸びる１５３を接続すると、スイッチを保持するために形成された位置に、本発明の鉛筆の中空本体ハウジング１９０の下半分内に配置されることがあります。本発明の鉛筆の本体ハウジング１６０の上半分は、既に接続されているボタン１７０および１７１と、それが設計された位置に、本体ハウジング１９０の下半分の上に配置されることがあり、ボタンが１７２を茎と１７３は既に本体ハウジング１６０の上半分を通って延びて、ボタンの先端は上または非常にドームスプリング１１０，１１１の凸側面の中心親愛なる存在茎そう。本体ハウジング１６０の上半分は、それによって鉛筆のハウジングを閉じ、そしてスイッチを囲んで、本体ハウジング１９０の下半分に所定の場所に固定されることがあります。また、ボタンとボタン１７０及び１７１は、鉛筆の筐体が閉じられた後に１７２と１７３が所定の位置に押すことが生じている。
【００６４】
本発明の鉛筆はまた、一方の端（およびその最後にスイッチへの配線を行って添付）における本発明のスイッチを挿入する一端にアクセスして、単一ピースで形成された中空の本体ハウジングを組み立てることができるそしてもう一方の端のアクセスは、アクティブな刃を挿入する。
第３好適実施形態
この方法で電気鉛筆スイッチを組み立てる完全な利点は、全体の組立工程を自動化し、同時に多くのスイッチを組み立てるためにプロセスを拡張することによって得られます。スイッチの装置は、実際には、組み立てだけで、複数のスイッチに自分自身を貸すように設計されています。これを達成するために、完全に自動化された機械は、スイッチアセンブリのプロセスのあらゆる段階を通じて、形成し、コンポーネントの配列を処理し、位置とお互いへの配列の構成要素を確保するために用いることができる。このプロセスを図で詳しく説明されています。フローチャートは、スイッチの最後のアセンブリからあらかじめ形成された成分を分離するために組織ごとです。しかし、それは、プロセス内のすべてのステップが図に示されていることを理解すべきである。図は、このように非常に効率的な組立工程を作成し、完全に自動化された可能性があります。
【００６５】
図４を最初に参照すると、金属製のフレーム１０のアレイを形成するための大きな金属製のブランクは、フレームの配列スタンプ２０１内に配置され、フレームの配列は、２０２をスタンプすることで生成されます。同じ操作で、またはその後、フレームの配列は、ストリップの突起４４，４５、圧接コネクタ３０−３２を実施する側に湾曲を形成するために、そして管状のアクティブ電極を受信するための３５を終了形成するために、圧着です。この時点では、ディンプルが終了突起４４，４５の、突起部４４，４５の長さに沿って、そして周囲約４６と４７ベイの４２と４３と４０との主な実施ストリップまたは各フレーム１０に形成されていてもよいボタンが押されたときに内部フレームの配列、または半田などの導電体の少量が必要な電気接点を行う際に支援するために、そのような位置に配置されることがあります。フレームの配列は、その特徴的な機能２０３を形成するために曲げされた後折れ曲がり、曲がったフレームの配列は、配列の金型２０７に配置することができる。一度そのような位置で、フレームの配列は、基本アレイ２０７成形時に、ベースの配列に固定して内に部分的に埋め込むことができます。
【００６６】
図４を継続すると、一度ベースの配列は、それによって各基地内に内のフレームの配列に対応するフレーム、キャビネットの配列を、固定し、成形されていますが形成されています。予め形成された（スタンプおよび曲げ）、複数のスナップドームスプリング１１０と１１１、望ましい剛性と音（曲がった）の特性の様々な２１１を持つことはキャビネット２１２の基地に向かって凹面側、キャビネットのウェルに配置することができる。湿気の障壁またはキャビネットの塩基の配列隣接して配置されていない可能性がありますし、事前に成形されたカバーの配列２１４は、キャビネットのアレイ２１５の上部に隣接して配置されることがあり、それによって、キャビネットのアレイ２１６に参加しました使用する。
【００６７】
図と本発明の完全に自動化されたプロセスを拾う。一度プレモールドカバーの配列２１４は、キャビネットのアレイ２１６、プリモールドキャップアレイ２２０、及びカットと配線２２１を接続するストライプ配列に接合されて一緒に２２２に配置し、図からキャビネット配列されることがあります。この時点で、キャビネットの配列は、それによってすべてのカットに、キャビネットのストリップの開口部にカッターやパンチを挿入することにより達成することができるキャビネット内でストリップを実施する唯一の物理的および電気的な分離を必要とする、実質的に完了し、密封されている。同時に、前またはその後、フレームの地峡は、同様にそれによってお互いキャビネット２２５から各キャビネットを分離、スイッチサブアセンブリの配列の外側にチャネルを介してカッターを渡すことによって、カットされることがあります。この時点を過ぎると、鉛筆のアセンブリは、業界への、または以下のように半自動化された形式で、通常の方法で完了する可能性があります。
【００６８】
ボトムハウジングのプレモールド配列２２６（ではないステップ２２７に分離されることがありますし、底ハウジング２２８内に位置決めスイッチ、または複数のスイッチの配列は、かつてストリップ地峡は、２２４をカットされ、直接下部ハウジング２２８の配列内に配置することができるし、フレームの地峡をカットすることができます）。いずれの場合でも、上部ハウジング２２９のプレモールド配列、およびボタンのプレモールド配列は、２３１、２３０に参加されることがあります茎、およびボタンと上部ハウジングは、隣接するスイッチ２３２を含む下部ハウジングの配列を位置し、上部ハウジングと下部ハウジング２３３に参加する。上記のような別の方法として、鉛筆は、主に組み立てることができるが、その後トップ鉛筆のハウジング２３１に結合されたボタンなし、およびプレ成型ボタンは、そうでない場合は完了鉛筆に結合することがあります。また、鉛筆のハウジングはオープンエンドで、閉鎖、一体部分として形成されてもよいし、本発明鉛筆のハウジングに挿入し、そのようなオープンエンドのいずれかを使用して適切な場所に固定し、プレモールドボタンのスイッチは、その後に結合そうでなければ完成鉛筆である。他の実施形態は、本明細書に開示される発明の仕様および実践の考察から、当業者には明らかであろう。それは、明細書および実施例は以下の請求項およびその等価物によって示される本発明の真の範囲で、単なる例示として考えられることが意図される。
【図１】
2012530541.tif 000003
【図２Ａ】
2012530541.tif 000004
【図２Ｂ】
2012530541.tif 000005
【図２Ｃ】
2012530541.tif 000006
【図２Ｄ】
2012530541.tif 000007
【図２Ｅ】
2012530541.tif 000008
【図２Ｆ】
2012530541.tif 000009
【図３】
2012530541.tif 000010
【図４】
2012530541.tif 000011
【図５】
2012530541.tif 000012
【国際調査報告】
2012530541.tif 000013